(57)【要約】【課題】  従来、画像を観察する環境に応じてその都度、画像変換操作を行わなければならなかった。【解決手段】  本発明では、被写体画像を撮像して画像データを出力する撮像部と、複数の観察視環境毎に画像変換パラメータを保持するパラメータ保持部と、前記撮像部が出力する画像データに対して前記画像変換パラメータに応じた画像処理を行って変換画像データを出力する画像処理部と、前記撮像部の撮影ショット毎に出力される画像データに対して前記パラメータ保持部が保持する複数の画像変換パラメータを適用して前記画像処理部に複数の変換画像データを生成させる制御部と、前記画像処理部が生成した複数の変換画像データを記憶媒体に記録する記録制御部とを有することを特徴とする。【選択図】    図１
2011009822.tif 000002
【特許請求の範囲】
【請求項１】
被写体画像を撮像して画像データを出力する撮像部と、
複数の観察視環境毎に画像変換パラメータを保持するパラメータ保持部と、
前記撮像部が出力する画像データに対して前記画像変換パラメータに応じた画像処理を行って変換画像データを出力する画像処理部と、
前記撮像部の撮影ショット毎に出力される画像データに対して前記パラメータ保持部が保持する複数の画像変換パラメータを適用して前記画像処理部に複数の変換画像データを生成させる制御部と、
前記画像処理部が生成した複数の変換画像データを記憶媒体に記録する記録制御部と
を有することを特徴とするデジタルカメラ。
【請求項２】
請求項１に記載のデジタルカメラにおいて、
前記記録制御部は、前記画像処理部で画像処理された複数の変換画像データを前記複数の観察視環境毎に前記記憶媒体に記録する
ことを特徴とするデジタルカメラ。
【請求項３】
請求項２に記載のデジタルカメラにおいて、
前記複数の観察視環境の少なくとも１つの観察視環境を指定する観察視環境指定部を更に設け、
前記記録制御部は、前記観察視環境指定部で指定されていない観察視環境に対応する前記変換画像データを再圧縮して前記記憶媒体に記録する
ことを特徴とするデジタルカメラ。
【請求項４】
請求項２に記載のデジタルカメラにおいて、
前記複数の観察視環境の優先順位を指定する優先条件指定部を更に設け、
前記記録制御部は、前記優先条件指定部で指定された観察視環境の優先順位に応じた画像圧縮率で該観察視環境に対応する前記変換画像データを再圧縮して前記記憶媒体に記録する
ことを特徴とするデジタルカメラ。
【請求項５】
請求項１から４のいずれか一項に記載のデジタルカメラにおいて、
前記複数の観察視環境の中から指定された観察視環境に対応する変換画像データを前記記憶媒体から読み出す読み出し部を更に設けた
ことを特徴とするデジタルカメラ。
【請求項６】
請求項５に記載のデジタルカメラにおいて、
前記読み出し部が読み出した変換画像データを表示する表示部と、
前記表示部の周辺の観察視環境を測定する測定部とを更に設け、
前記読み出し部は、前記測定部が測定した周囲の観察視環境に対応する変換画像データを前記記憶媒体から読み出す
ことを特徴とするデジタルカメラ。
【請求項７】
請求項５に記載のデジタルカメラにおいて、
前記読み出し部が読み出した変換画像データを画像として表示する表示部と、
前記表示部に画像を表示する際の観察視環境を指定する視環境指定部とを更に設け、
前記読み出し部は、前記視環境指定部が指定した観察視環境に対応する変換画像データを前記記憶媒体から読み出す
ことを特徴とするデジタルカメラ。
【請求項８】
請求項７に記載のデジタルカメラにおいて、
標準視環境用の画像変換パラメータを前記パラメータ保持部に保持し、
前記標準視環境用の画像変換パラメータを適用して前記画像処理部で画像処理された変換画像データを前記記憶媒体の標準視環境用の記憶領域に記録するようにし、
前記読み出し部は、前記視環境指定部で指定された観察視環境に対応する変換画像データが前記記憶媒体に記録されていない場合または前記視環境指定部で観察視環境が指定されなかった場合は、前記標準視環境用の記憶領域に記録された変換画像データを読み出す
ことを特徴とするデジタルカメラ。
【請求項９】
請求項１から８のいずれか一項に記載のデジタルカメラにおいて、
前記撮像部の撮影ショット毎に生成される複数の変換画像データは、観察視環境毎に前記記憶媒体に記録される際に互いに関連付けられて記録される
ことを特徴とするデジタルカメラ。
【発明の詳細な説明】
【技術分野】
【０００１】
本発明は、観察視環境に応じたカラーマネージメントを行うデジタルカメラに関する。
【背景技術】
【０００２】
近年、ＣＡＭ（Ｃｏｌｏｒ  Ａｐｐｅａｒａｎｃｅ  Ｍｏｄｅｌ）の研究が盛んに行われている。ＣＡＭとしてＣＩＥ（国際照明委員会）が定めたＣＩＥ−ＣＡＭ９７ＳやＣＩＥ−ＣＡＭ０２などが知られている。ＣＡＭは、観察条件の差異による色の見えの違いをモデル化し、色の見えのモデルを用いてカラーマネージメントを実施するもので、例えば異なる観察視環境下で同一の画像データを使用すると、出力された画像から観察者が受ける印象が異なるという問題を解決できる。
【０００３】
ところが、対象となる画像デー夕と共に意図する観察条件に対応する環境光パラメータをカラーマネージメント処理を行う専用の画像処理装置に入力しなければならず、特別な計測や専門知識が必要になるという問題があった。そこで、撮像データから予め決定された観察視環境用の画像データを生成することによって、特別な計測や専門知識を必要とせずに簡単に観察視環境に最適な画像を生成する技術が検討されている（例えば特許文献１参照）。
【先行技術文献】
【特許文献】
【０００４】
【特許文献１】特開２００７−３１８３２０号公報
【発明の概要】
【発明が解決しようとする課題】
【０００５】
ところが、従来技術では固定の観察視環境用の画像しか生成しないため、後にそれとは異なる観察視環境下で画像を観賞したい場合は、添付の環境光パラメータと専用の装置を用いて画像を変換する操作が必要になるという問題があった。特に携帯性が高いデジタルカメラでは、予め一つの観察視環境を想定することが難しく、画像を観察する環境に応じてその都度、画像変換操作を行わなければならない。
【０００６】
本発明の目的は、煩雑な操作を行うことなく、表示する際の観察視環境に合った画像を観賞することができるデジタルカメラを提供することである。
【課題を解決するための手段】
【０００７】
本発明に係るデジタルカメラは、被写体画像を撮像して画像データを出力する撮像部と、複数の観察視環境毎に画像変換パラメータを保持するパラメータ保持部と、前記撮像部が出力する画像データに対して前記画像変換パラメータに応じた画像処理を行って変換画像データを出力する画像処理部と、前記撮像部の撮影ショット毎に出力される画像データに対して前記パラメータ保持部が保持する複数の画像変換パラメータを適用して前記画像処理部に複数の変換画像データを生成させる制御部と、前記画像処理部が生成した複数の変換画像データを記憶媒体に記録する記録制御部とを有することを特徴とする。
【０００８】
また、好ましくは、前記記録制御部は、前記画像処理部で画像処理された複数の変換画像データを前記複数の観察視環境毎に前記記憶媒体に記録することを特徴とする。
【０００９】
また、好ましくは、前記複数の観察視環境の少なくとも１つの観察視環境を指定する観察視環境指定部を更に設け、前記記録制御部は、前記観察視環境指定部で指定されていない観察視環境に対応する前記変換画像データを再圧縮して前記記憶媒体に記録することを特徴とする。
【００１０】
また、好ましくは、前記複数の観察視環境の優先順位を指定する優先条件指定部を更に設け、前記記録制御部は、前記優先条件指定部で指定された観察視環境の優先順位に応じた画像圧縮率で該観察視環境に対応する前記変換画像データを再圧縮して前記記憶媒体に記録することを特徴とする。
【００１１】
また、好ましくは、前記複数の観察視環境の中から指定された観察視環境に対応する変換画像データを前記記憶媒体から読み出す読み出し部を更に設けたことを特徴とする。
【００１２】
また、好ましくは、前記読み出し部が読み出した変換画像データを表示する表示部と、前記表示部の周辺の観察視環境を測定する測定部とを更に設け、前記読み出し部は、前記測定部が測定した周囲の観察視環境に対応する変換画像データを前記記憶媒体から読み出すことを特徴とする。
【００１３】
また、好ましくは、前記読み出し部が読み出した変換画像データを画像として表示する表示部と、前記表示部に画像を表示する際の観察視環境を指定する視環境指定部とを更に設け、前記読み出し部は、前記視環境指定部が指定した観察視環境に対応する変換画像データを前記記憶媒体から読み出すことを特徴とする。
【００１４】
また、好ましくは、標準視環境用の画像変換パラメータを前記パラメータ保持部に保持し、前記標準視環境用の画像変換パラメータを適用して前記画像処理部で画像処理された変換画像データを前記記憶媒体の標準視環境用の記憶領域に記録するようにし、前記読み出し部は、前記視環境指定部で指定された観察視環境に対応する変換画像データが前記記憶媒体に記録されていない場合または前記視環境指定部で観察視環境が指定されなかった場合は、前記標準視環境用の記憶領域に記録された変換画像データを読み出すことを特徴とする。
【００１５】
また、好ましくは、前記撮像部の撮影ショット毎に生成される複数の変換画像データは、観察視環境毎に前記記憶媒体に記録される際に互いに関連付けられて記録されることを特徴とする。
【発明の効果】
【００１６】
本発明では、煩雑な操作を行うことなく、表示する際の観察視環境に合った画像を観賞することができる。
【図面の簡単な説明】
【００１７】
【図１】本実施形態に係るデジタルカメラ１０１の構成を示すブロック図である。
【図２】デジタルカメラ１０１とテレビ３０１との接続例を示す補助図である。
【図３】撮影前処理を示すフローチャートである。
【図４】フラッシュメモリ１１２の記憶データ例を示す補助図である。
【図５】メモリ１０６に作成されるフォルダ例を示す補助図である。
【図６】撮影処理を示すフローチャートである。
【図７】撮影時の観察視環境別の画像データの生成例を示す補助図である。
【図８】優先順位と観察視環境別フォルダの画像データの圧縮を説明するための補助図である。
【図９】再生処理を示すフローチャートである。
【発明を実施するための形態】
【００１８】
以下、本発明に係るデジタルカメラの実施形態について図面を用いて詳しく説明する。
［デジタルカメラ１０１の全体構成］
図１は本実施形態に係るデジタルカメラ１０１の構成を示すブロック図で、観察視環境に応じたカラーマネージメントを行うことができるデジタルカメラである。ここで、観察視環境とは、例えば異なる照明条件下など、画像を観察する環境を意味し、従来の技術で説明したように、同一の画像であっても照明の色温度などに応じて観察者が画像から受ける印象が異なることが知られている。そこで、本実施形態に係るデジタルカメラ１０１では、観察条件の差異による色の見えの違いをモデル化して、観察視環境に応じた色の見えのモデルを用いてカラーマネージメントを実施するＣＡＭを用い、撮影時に予め設定した複数の種類の観察視環境下の画像データを作成して記録するようになっている。これにより、本実施形態に係るデジタルカメラ１０１は、撮影画像を再生する際の観察視環境に対応した適切な画像を簡単且つ迅速に表示することができる。
【００１９】
図１において、デジタルカメラ１０１は、撮像部１０２と、画像バッファ１０３と、画像処理部１０４と、記録／読み出し部１０５と、メモリ１０６と、制御部１０７と、操作部１０８と、出力部１０９と、表示部１１０と、外部端子１１１と、フラッシュメモリ１１２と、入力部１１３とで構成される。
【００２０】
撮像部１０２は、撮影光学系および撮像素子などで構成され、制御部１０７の指令に応じて撮影した被写体の画像データを画像バッファ１０３に出力する。
【００２１】
画像バッファ１０３は、撮像部１０３が出力する画像データを制御部１０７が出力するタイミングに従って一時的に記憶する。
【００２２】
画像処理部１０４は、画像バッファ１０３に記憶された画像データに制御部１０７が指令する画像処理を行って記録／読み出し部１０５に出力する。ここで、画像処理部１０４は、ホワイトバランス処理，色補間処理或いはガンマ特性変換処理などの通常のデジタルカメラで行われる画像処理を行う以外に、特に本実施形態に係るデジタルカメラ１０１では、ＣＡＭ１０４ｂで観察視環境に応じた色の見えのモデルを用いてカラーマネージメントを実施する。ＣＡＭ１０４ｂの処理ブロックは、制御部１０７から与えられる環境光パラメータを用いて画像変換を行い、観察視環境に応じた画像データを作成して記録／読み出し部１０５に出力する。尚、環境光パラメータとは、例えば太陽光、白熱電球、蛍光灯などの環境光下で適切な色を再現するための画像変換パラメータに相当し、画像を表示して鑑賞する観察視環境に応じて適切な色特性になるようにＣＡＭ１０４ｂで画像変換される。ここで、画像変換は、例えばＲＧＢの画像データに色変換マトリクスを乗算する通常の色変換処理やゲイン比を乗算するホワイトバランス処理と同様の演算処理によって実現できる。この場合、環境光パラメータは色変換マトリクスやゲイン比などに対応するパラメータで構成される。
【００２３】
記録／読み出し部１０５は、画像処理部１０４が作成した各観察視環境に対応する画像データをメモリ１０６（または外部のメモリカード１０６ｂ）に記録する。或いは、観察視環境別にメモリ１０６やメモリカード１０６ｂに記録された画像データを読み出す。ここで、記録／読み出し部１０５は、画像データをメモリ１０６に記録する際に、制御部１０７の指令に応じて観察視環境の種類別に作成された複数の記憶領域に分類して記録する。尚、記憶領域は、物理的に異なる記憶媒体（複数のディスクやドライブ或いはメモリカードなど）であっても構わないし、同じ記憶媒体の中で論理的に異なる記憶領域（フォルダなど）であっても構わない。また、記録／読み出し部１０５は、画像データの圧縮処理（ＪＰＥＧなど）を行う圧縮部１０５ｂを有し、圧縮部１０５ｂは制御部１０７から与えられる圧縮率に応じて画像データの圧縮処理を行う。尚、制御部１０７から与えられる圧縮率は、圧縮率の目安を示す具体的な数値（例えば５０％など）であっても構わないし、ＦＩＮＥ、ＮＯＲＭＡＬ、ＢＡＳＩＣなどの予め定められた画質を示す情報であっても構わない。例えば、ＦＩＮＥのデータ容量を基準にして、約１／２のデータ容量に圧縮した画像をＮＯＲＭＡＬ、約１／４のデータ容量に圧縮した画像をＢＡＳＩＣとした場合、制御部１０７はＦＩＮＥ、ＮＯＲＭＡＬ、ＢＡＳＩＣのいずれかを画像処理部１０４の圧縮部１０５ｂに指示する。
【００２４】
また、画質だけでなく画像サイズを示す情報（Ｌ，Ｍ，Ｓなど）であっても構わない。例えば、画像サイズＬを基準にして、画像サイズＭを１／２サイズ、画像サイズＳを１／４サイズとした場合、制御部１０７はＬ，Ｍ，Ｓのいずれかを画像処理部１０４の圧縮部１０５ｂに指示する。
【００２５】
或いは、上記のような画質と画像サイズの複合情報であっても構わない。例えば、制御部１０７は、画質ＦＩＮＥで画像サイズＬの画像データを画質ＢＡＳＩＣで画像サイズＳに圧縮するよう圧縮部１０５ｂに指示する。この場合、元の画像データの約１／１６のデータ容量に圧縮される。
【００２６】
メモリ１０６は、フラッシュメモリなどの不揮発性の記憶媒体で構成される。そして、制御部１０７の指令を受けた記録／読み出し部１０５は、メモリ１０６内に観察視環境の種類別にフォルダを作成し、各フォルダに対応する観察視環境の画像データを記録する。また、メモリ１０６内の各フォルダに記録された画像データは、制御部１０７の指令を受けた記録／読み出し部１０５によって読み出される。尚、メモリ１０６の代わりにデジタルカメラ１０１に脱着可能なメモリカード１０６ｂを接続できるようにして、メモリカード１０６ｂに対して画像データの記録および読み出しを行うようにしても構わない。
【００２７】
制御部１０７は、内部に予め記憶されたプログラムに従って動作するＣＰＵなどで構成され、デジタルカメラ１０１全体の動作を制御する。尚、制御部１０７は、内部に各種設定値を保持するための不揮発性の動作設定メモリ１０７ｂを有し、例えば画像サイズ、画質、ホワイトバランスモード、絞り／シャッタ優先、ＩＳＯ感度などの設定値が保持される。これらの設定値は、デジタルカメラ１０１の工場出荷時にデフォルト値が動作設定メモリ１０７ｂに書き込まれているが、ユーザーが購入後に設定メニューで変更することができる。特に、本実施形態では、後に詳しく説明する撮影前の設定処理において、ユーザーが設定した観察視環境の種類や優先順位などが保持される。本実施形態では、分かり易いように、制御部１０７の内部に動作設定メモリ１０７ｂを設ける構成としたが、フラッシュメモリ１１２に記憶するようにしても構わない。
【００２８】
操作部１０８は、操作スイッチや操作ボタンなどで構成され、ユーザーはこれらの操作スイッチや操作ボタンを用いてデジタルカメラ１０１を操作する。操作部１０８の操作情報は制御部１０７に出力され、制御部１０７はこの操作情報に応じてデジタルカメラ１０１の動作を制御する。例えば、ユーザが操作部１０８のレリーズボタンを押下すると、制御部１０７は撮像部１０２に被写体画像の撮影を指令し、画像バッファ１０３に一時的に撮影画像データを取り込む。尚、本実施形態に係るデジタルカメラ１０１は「設定モード」，「撮影モード」および「再生モード」の３つのモードを有しており、ユーザーは操作部１０８の操作ボタンでこれらのモードを切り替えてデジタルカメラ１０１を使用するようになっている。
【００２９】
出力部１０９は、制御部１０７が記録／読み出し部１０５を介してメモリ１０６などから読み出した画像データを表示可能な映像データ（例えばＹＵＶ信号，ＮＴＳＣ信号，ＨＤＭＩ信号など）に変換して表示部１１０に表示したり、図２（ａ）に示したように、外部端子１１１に接続したケーブル３０２を介してテレビ３０１などの外部表示装置に出力する。同様に、制御部１０７が出力するメニュー画面（動作モード選択画面，撮影画像リスト，観察視環境の設定または選択画面など）を表示部１１０に表示したり、外部端子１１１からテレビ３０１などに出力する。
【００３０】
表示部１１０は、液晶モニタなどで構成され、出力部１０９を介して出力される操作メニューや撮影画像などが表示される。
【００３１】
外部端子１１１は、出力部１０９が変換した映像データをテレビやモニタなどデジタルカメラ１０１の外部に接続された表示装置に対応した信号フォーマットで出力する。尚、図２（ｂ）に示したように、デジタルカメラ１０１の外部端子１１１の代わりに無線通信部３０３を設けたデジタルカメラ１０１ｂの場合は、同じ無線通信部３０４を有するテレビ３０１ｂとの間で無線接続することができる。
【００３２】
フラッシュメモリ１１２は、不揮発性のメモリで構成され、デジタルカメラ１０１の工場出荷時や購入時の初期設定などで予め観察視環境に応じた環境光パラメータが記憶されている。制御部１０７は、ユーザーが選択した観察視環境に応じた環境光パラメータをフラッシュメモリ１１２から読み出して、画像処理部１０４のＣＡＭ１０４ｂに適用し、ＣＡＭ１０４ｂはユーザーが選択した観察視環境毎の画像データを作成する。尚、フラッシュメモリ１１２に予め記憶されている環境光パラメータは、デジタルカメラ１０１を購入後に様々な観察視環境に応じた環境光パラメータを追加できるようにしても構わない。例えばデジタルカメラ１０１にインターネット接続機能を持たせて、メーカーのホームページから適宜ダウンロードできるようにしても構わない。
【００３３】
入力部１１３は、デジタルカメラ１０１が設置されている場所の観察視環境を入力するブロックである。例えば、観察視環境を測定する測定センサで構成される。この場合は、例えば制御部１０７は入力部１１３で測定した観察視環境に対応するメモリ１０６のフォルダを選択し、そのフォルダに記憶されている画像データを読み出して、表示部１１０に表示する。これにより、デジタルカメラ１０１が設置されている環境光下に適した画像を表示部１１０に表示して鑑賞することができる。
【００３４】
或いは、入力部１１３は、外部から観察視環境に関連する情報を入力するためのインターフェースであっても構わない。例えば、外部端子１１１にテレビやモニタなどを接続して画像を表示する場合、図２（ｃ）に示したように、デジタルカメラ１０１ｃの入力部１１３とテレビ３０１ｃの設定メモリ３０５との間をケーブル３０６（例えばＵＳＢケーブルなど）を介して接続し、テレビ３０１ｃの設定メモリ３０５に格納されているテレビ自体の色域情報，明るさの設定情報，白色の色温度設定情報および色空間情報などの設定情報を入力できるようにしても構わない。或いは、先に説明した図２（ｂ）のように、デジタルカメラ１０１ｃの外部端子１１１とテレビ３０１ｃとの間を無線接続する場合には、無線通信部３０３および３０４を介してテレビ３０１ｂの設定情報を入力できるようにしても構わない。さらに、図２（ｄ）に示したように、観察視環境を測定する測定センサ３０７が設置されたテレビ３０１ｄの場合には、テレビ３０１ｄが設置されている場所の観察視環境を測定センサ３０７で測定した情報をケーブル３０８を介して入力部１１３に入力することにより、テレビ３０１ｄが設置されている場所の観察視環境を取得することができる。
【００３５】
［デジタルカメラ１０１の撮影前処理］
次に、デジタルカメラ１０１の撮影前の設定処理について図３のフローチャートを用いて説明する。尚、図３の処理は、制御部１０７の内部に予め記憶されたプログラムに従って動作する。ここで、撮影前の設定処理は、ユーザーが操作部１０８の操作ボタンを操作して「設定モード」に入り、「設定モード」で表示される様々な設定メニュー（画質設定メニューや撮影条件設定メニューなど）の中から観察視環境設定メニューを選択した時に実行される処理とする。
【００３６】
以下、フローチャートに従って順番に説明するが、ステップＳ１０５の処理は後述するメモリ容量削減のモードに対応する処理で、当該モードを実行しない場合はスキップしても構わない。
【００３７】
（ステップＳ１０１）制御部１０７は撮影前の設定処理を開始する。
【００３８】
（ステップＳ１０２）制御部１０７は、使用する観察視環境を設定するか否かを選択するメニュー画面を表示部１１０に表示する。ユーザーは、メニュー画面を見ながら、操作部１０８のカーソルボタンなどを操作して、ＹｅｓかＮｏを選択する。そして、使用する観察視環境を設定する場合はステップＳ１０３に進み、使用する観察視環境を設定しない場合はステップＳ１０４に進む。
【００３９】
（ステップＳ１０３）制御部１０７は、表示部１１０の画面に観察視環境のリストを表示し、ユーザーは操作部１０８のカーソルボタンなどを操作して、少なくとも１つの観察視環境を選択する。尚、表示部１１０の画面に表示される観察視環境リストは、図４に示したように、フラッシュメモリ１１２に予め記憶されている観察視環境リスト１１２ｂに相当する。例えば、図４に示した観察視環境リスト１１２ｂの中の観察視環境Ｂ：白熱電球を選択する。尚、本実施形態では、デフォルトとして、観察視環境Ａ：標準視環境も必ず自動的に選択されるので、ユーザーが標準視環境を選択しなかった場合でも、作成される画像データの数は（ユーザーが選択した観察視環境の数）＋１となる。本処理ステップの終了後、ステップＳ１０５に進む。
【００４０】
（ステップＳ１０４）制御部１０７は、ユーザーが観察視環境を設定しない場合や、観察視環境に対する操作を何も行わなかった場合（例えば電源投入時に設定の有無を問う画面が所定時間だけ表示される機能でタイムオーバーした時など）は、観察視環境Ａ：標準視環境を自動的に選択する。或いは、複数の観察視環境（例えば、蛍光灯と太陽光など）をデフォルトとしてデジタルカメラ１０１の工場出荷時や購入時の初期設定などで設定できるようにしても構わない。尚、デフォルトは標準視環境だけでなく複数の観察視環境をデフォルトに設定できるようにしても構わない。このようにして選択された観察視環境の種類は、制御部１０７の動作設定メモリ１０７ｂに記憶される。
【００４１】
（ステップＳ１０５）制御部１０７は、ユーザーが選択した観察視環境に優先順位を付けるメニュー画面を表示部１１０に表示する。本処理ステップでは、ユーザーは自身が選択した観察視環境の種類毎に優先順位を付けることができる。例えば、蛍光灯下で鑑賞する場合が多いユーザーであれば蛍光灯の観察視環境を優先順位１とし、白熱電球の観察視環境の優先順位を２とする。このようにして設定された優先順位は、選択された観察視環境の種類に対応させて制御部１０７の動作設定メモリ１０７ｂに記憶される。尚、先に説明したように、ステップＳ１０５の処理を行わずにステップＳ１０６に進むようにしても構わない。
【００４２】
（ステップＳ１０６）制御部１０７は、メモリ１０６（またはメモリカード１０６ｂ）に選択された観察視環境の種類別のフォルダを作成する。
【００４３】
（ステップＳ１０７）制御部１０７は撮影前の設定処理を終了する。
【００４４】
以上の一連の処理によって、メモリ１０６（またはメモリカード１０６ｂ）には、図５に示すような観察視環境別のフォルダが作成される。尚、図５は、Ｅｘｉｆ規格によるフォルダ形式に基づくフォルダ構成例を示した図で、ＤＣＦはデジタルカメラの撮影画像データが記憶されるフォルダを示し、その下位にフォルダ９００，フォルダ９０１およびフォルダ９０２などが撮影日時別或いは運動会や文化祭などの行事別に作成され、さらにその下位にユーザーが選択した観察視環境別のフォルダ或いはデフォルトのフォルダが作成される。ここで、先に説明したように、本実施形態に係るデジタルカメラ１０１は、必ず標準視環境の画像データを作成するので、フォルダ９００，フォルダ９０１およびフォルダ９０２においても、必ず観察視環境Ａの標準視環境用のパラメータに対応するフォルダが作成される。
【００４５】
また、図３のフローチャートの処理は、ユーザーが操作部１０８の操作ボタンを操作して「設定モード」の中の観察視環境設定メニューを選択した時に実行される処理としたが、ユーザーがデジタルカメラ１０１の電源を投入した時に所定時間だけ観察視環境の設定を促すメニュー画面を自動的に表示するようにしても構わない。或いは、ユーザーがデジタルカメラ１０１を購入時（オープニング時）に設定を促すメニュー画面を表示するようにしても構わない。同様に、優先順位の設定についても電源投入時やオープニング時に行うようにしても構わない。特にオープニング時などでユーザーが唯一の観察視環境（例えば頻繁に撮影画像を鑑賞する蛍光灯下など）をデフォルトとして設定しておくことで、電源投入毎や撮影毎に設定する手間を省くことができる。
【００４６】
或いは、デジタルカメラ１０１の設定や管理を外部に接続したパソコンなどで行うアプリケーションソフトウェアを用いて設定できるようにしても構わない。
【００４７】
さらに、ユーザーが独自の色温度特性などを考慮した専用の観察視環境を設定する「プリセット観察視環境」を設定できるようにしても構わない。この場合は、専用の観察視環境に対応する環境光パラメータもフラッシュメモリ１１２に設定しておく。
【００４８】
このようにして撮影時にデジタルカメラ１０１の画像処理部で作成する観察視環境の種類を選択し、選択された観察視環境の種類別のフォルダをメモリ１０６（またはメモリカード１０６ｂ）に作成する。尚、どの観察視環境の種類が選択されているか或いは優先順位などの設定は、動作設定メモリ１０７ｂに保持される。
【００４９】
［デジタルカメラ１０１の撮影処理］
次に、デジタルカメラ１０１の撮影処理について図６のフローチャートを用いて説明する。尚、図６の処理は、制御部１０７の内部に予め記憶されたプログラムに従って動作する。以下、フローチャートに従って順番に説明するが、ステップＳ２０５およびステップＳ２０６の処理は、メモリ１０６の観察視環境別のフォルダに記憶されている画像データの容量を少なくするモード（例えば「メモリ節約モード」など）が設定されている場合に実行される処理である。従って、当該モード以外ではステップＳ２０５およびステップＳ２０６の処理はスキップされる。
【００５０】
（ステップＳ２０１）制御部１０７は撮影処理を開始する。尚、撮影処理はユーザーが操作部１０８の操作ボタンを操作して「撮影モード」を選択した時に実行される。「撮影モード」では、撮像部１０２で撮影されるプレビュー画像が表示部１１０に表示される。そして、ユーザーはプレビュー画像を見ながら撮影構図などを決定して操作部１０８のレリーズボタンを押下する。尚、プレビュー画像は、本撮影画像よりも粗い解像度の画像で、本撮影画像の撮影時と同様に画像バッファ１０３に取り込まれて画像処理部１０４でホワイトバランス処理やガンマ特性変換処理などが行われた後、制御部１０７および出力部１０９を介して表示部１１０に表示される。
【００５１】
（ステップＳ２０２）ユーザーがレリーズボタンを押下すると、制御部１０７は撮像部１０２の露出調整などを行い、撮像部１０２で撮影した本画像を画像バッファ１０３に取り込む。
【００５２】
（ステップＳ２０３）制御部１０７は、図３の撮影前処理で設定された観察視環境の種類に応じた環境光パラメータをフラッシュメモリ１１２から読み出し、画像処理部１０４のＣＡＭ１０４ｂに適用して画像変換処理を実行させる。この時、図３の撮影前処理で設定された観察視環境の種類の数だけ画像変換処理を実行し、画像処理部１０４は各観察視環境の種類に対応する画像データを生成する。
【００５３】
例えば、図５のフォルダ９００に対応する４つの種類の観察視環境が設定されている場合、図７に示したように、１回の撮影ショットで撮影される被写体風景２０１に対して、観察視環境Ａ用の画像データ２０２，観察視環境Ｂ用の画像データ２０３，観察視環境Ｃ用の画像データ２０４および観察視環境Ｄ用の画像データ２０５の４種類の画像データが作成される。尚、この時に作成された画像データは、ＭＰ（Ｍｕｌｔｉ  Ｐｉｃｔｕｒｅ）フォーマットなどで複数の観察視環境毎に複数の画像データを関連付けて１つのファイルフォーマットにまとめても構わない。
【００５４】
（ステップＳ２０４）制御部１０７は、記録／読み出し部１０５に指令して、画像処理部１０４が作成した４種類の観察視環境の画像データをメモリ１０６内の該当する観察視環境の種類のフォルダに記憶する。尚、本処理ステップの終了後、先に説明したように、例えば「メモリ節約モード」などが設定されていない場合は、ステップＳ２０５およびステップＳ２０６をスキップしてステップＳ２０７に進む。例えば、ステップＳ２０４とステップＳ２０５との間に、「メモリ節約モード」などの設定の有無を判別する処理を設けても構わない。
【００５５】
（ステップＳ２０５）制御部１０７は、記録／読み出し部１０５に指令して、メモリ１０６の空き容量が予め設定した閾値より大きいか否かを判別する。そして、空き容量＞閾値の場合はステップＳ２０７に進み、空き容量≦閾値の場合はステップＳ２０６に進む。ここで、閾値は、デジタルカメラ１０１の工場出荷時や購入時の初期設定などで動作設定メモリ１０７ｂに記憶されている。尚、閾値は、例えば２００ＭＢなど容量値で設定しても構わないし、メモリ１０６の容量の５０％のようにメモリ容量と空き容量との割合を閾値として設定しても構わない。この場合は、本処理ステップで空き容量の割合＞閾値または空き容量の割合≦閾値を判別する。
【００５６】
（ステップＳ２０６）制御部１０７は、メモリ１０６の空き容量が閾値以下なので、既にメモリ１０６に記憶されている画像データの削減を実行する。ここで、画像データの削減は、先に図３のステップＳ１０５で設定した観察視環境の優先順位に応じて画像データを圧縮することにより実現する。
【００５７】
例えば、観察視環境Ａ，観察視環境Ｂ，観察視環境Ｃおよび観察視環境Ｄの４種類の観察視環境が撮影前処理で設定されている場合、図８に示すように、観察視環境Ａが一番優先順位が高く、観察視環境Ｂ，観察視環境Ｃ，観察視環境Ｄの順番に優先順位が低くなるように設定されているとする。また、説明が分かり易いように、メモリ１０６の容量が十分にある場合は、４つの観察視環境全てがＦＩＮＥ画質で処理されてメモリ１０６の各観察視環境毎のフォルダに記憶されるものとする（図８（ａ）の状態）。そして、メモリ１０６の空き容量が空き容量≦閾値の条件を満たす場合は、先ず優先順位が一番低い観察視環境Ｄのフォルダに記憶されている画像データの圧縮率を上げ、例えばＦＩＮＥ画質からＮＯＲＭＡＬ画質に圧縮し直してメモリ１０６の観察視環境Ｄに対応するフォルダに再記憶する（図８（ｂ）の状態）。このようにして、メモリ１０６の空き容量を増やすことができる。
【００５８】
さらに、メモリ１０６の空き容量が閾値以下になった場合は、優先順位が一番低い観察視環境Ｄのフォルダに記憶されている画像データの圧縮率をさらに上げて、例えばＮＯＲＭＡＬ画質からＢＡＳＩＣ画質に圧縮し直してメモリ１０６の観察視環境Ｄに対応するフォルダに再記憶する。或いは同時に、次に優先順位が低い観察視環境Ｃのフォルダに記憶されている画像データの圧縮率を上げて、例えばＦＩＮＥ画質からＮＯＲＭＡＬ画質に圧縮し直してメモリ１０６の観察視環境Ｃに対応するフォルダに再記憶する（図８（ｃ）の状態）。このようにして、メモリ１０６の空き容量を増やすことができる。
【００５９】
尚、上記の説明では、撮影前処理において予め設定された優先順位に基づいて、優先順位の低い観察視環境のフォルダに記憶されている画像データ（同じフォルダ内の全画像データが対象）の圧縮率を上げることによってメモリ１０６の空き容量を増やすように処理したが、観察視環境別にフォルダの使用頻度に基づいて、使用頻度の低い観察視環境のフォルダを優先して当該フォルダ内の画像データを圧縮するようにしても構わない。尚、フォルダの使用頻度の判別は、例えばメモリ１０６の各フォルダに記憶されている画像データのヘッダ情報などから最終アクセス日時などを記録／読み出し部１０５が確認することで判別可能である。
【００６０】
ここで、本実施形態に係るデジタルカメラ１０１において、制御部１０７は標準観察視環境用のフォルダに記憶されている画像データは圧縮しないように制御する。これにより、高画質の画像データをショット毎に必ず１つ保存することができるので、例えば後で予定外の観察視環境の画像データが必要になった場合などでも、標準観察視環境用のフォルダに記憶されている画像データを基に処理をし直すことができる。
【００６１】
（ステップＳ２０７）制御部１０７は撮影処理を終了する。
【００６２】
以上の一連の処理によって、メモリ１０６（またはメモリカード１０６ｂ）に予め作成された観察視環境の種類別のフォルダに対応する観察視環境の画像データが撮影時に記憶される。特に本実施形態に係るデジタルカメラ１０１は、撮影時にメモリ１０６（またはメモリカード１０６ｂ）の空き容量が少なくなった場合に、予め設定した優先順位や使用頻度などに基づいて適宜メモリ容量を削減するので、容量不足で撮影できなくなる問題を防止できる。
【００６３】
［デジタルカメラ１０１の再生処理］
次に、デジタルカメラ１０１の再生処理について図９のフローチャートを用いて説明する。尚、図９の処理は、制御部１０７の内部に予め記憶されたプログラムに従って動作する。以下、フローチャートに従って順番に説明する。尚、再生処理はユーザーが操作部１０８の操作ボタンを操作して「再生モード」を選択した時に実行される。「再生モード」では、デジタルカメラ１０１の表示部１１０または外部端子１１１に接続されたテレビやモニタなどに撮影画像を表示する。特に本実施形態に係るデジタルカメラ１０１は、デジタルカメラ１０１の設置場所やテレビやモニタの設置場所の観察視環境に応じた観察視環境の種類別のフォルダに記憶された画像データを読み出して再生するで、設置場所の環境光下に最適な画像を表示して鑑賞することができる。尚、同じフォルダ内に複数枚の撮影画像がある場合は、スライドショーのようにして順番に表示する。
【００６４】
（ステップＳ３０１）制御部１０７は、ユーザーが操作部１０８の操作ボタンを操作して「再生モード」を選択したことを受けて、再生処理を開始する。
【００６５】
（ステップＳ３０２）制御部１０７は、再生する際の観察視環境を取得する。例えば、制御部１０７は、再生する際の観察視環境を選択するメニュー画面を表示部１１０に表示し、ユーザーはメニュー画面を見ながら操作部１０８のカーソルボタンなどを操作して再生時の観察視環境の種類を選択する。
【００６６】
或いは、制御部１０７は、先に説明したように、入力部１１３が環境光の測定センサで構成される場合、環境光の測定センサにより取得した環境光条件を基に、デジタルカメラ１０１が設置されている場所の観察視環境の種類を推定する。または、制御部１０７は、入力部１１３が外部端子１１１に接続されたテレビやモニタなどから観察視環境情報を入力することにより、使用する観察視環境の種類を取得する。或いは、テレビやモニタなどの外部表示装置で画像を再生する場合は、ユーザーにテレビやモニタなどが設置されている場所の状況をデジタルカメラ１０１で撮影するように促すメッセージを表示部１１０や外部表示装置の画面に表示してユーザーに写真撮影してもらい、その撮影画像から制御部１０７が観察視環境を推定するようにしても構わない。
【００６７】
尚、ユーザーが「再生時に使用する観察視環境の種類」を指定しなかった場合や制御部１０７が観察視環境の種類を推定できなかった場合、制御部１０７は「標準視環境用」フォルダを自動的に選択し、当該フォルダに記憶されている画像データを読み出す。また、制御部１０７が推定した観察視環境の種類に対応する観察視環境のフォルダが無かった場合も、同様に「標準視環境用」フォルダを選択する。
【００６８】
（ステップＳ３０３）制御部１０７は、ステップＳ３０２で決定した観察視環境の種類に対応するメモリ１０６のフォルダに記憶されている画像データを読み出す。
【００６９】
（ステップＳ３０４）制御部１０７は、ステップＳ３０３で読み出した画像データを出力部１０９を介して表示部１１０に表示したり、外部端子１１１を介して接続されているテレビやモニタなどに表示する。尚、複数の画像データが同じフォルダに記憶されている場合は、順番に読み出してスライドショーのように表示する。
【００７０】
（ステップＳ３０５）制御部１０７は再生処理を終了する。
【００７１】
このように、本実施形態に係るデジタルカメラ１０１は、撮影時に予め設定した少なくとも１つの観察視環境に対応した画像データを観察視環境の種類別にフォルダに記憶するので、再生時は、再生時にユーザーが選択した観察視環境またはデジタルカメラ１０１が自動的に取得した観察視環境に対応した観察視環境のフォルダに記憶されている画像データを読み出して表示するだけでよく、再生時の処理負担が軽くなり、迅速に最適な画像を表示することができる。
【００７２】
また、メモリ１０６の容量が少なくなった場合に、予め設定した観察視環境の種類別の優先順位に基づいて、優先順位の低い観察視環境のフォルダに記憶されている画像データを圧縮するので、メモリ１０６の空き容量不足で撮影できないトラブルを回避することができる。
【００７３】
さらに、優先順位だけでなく、観察視環境のフォルダの使用頻度に基づいて、使用頻度の低い観察視環境のフォルダを優先して当該フォルダ内の画像データを圧縮することによって、メモリ１０６の空き容量を増やすことができる。
【００７４】
特に、本実施形態に係るデジタルカメラ１０１は、標準観察視環境用のフォルダに記憶されている画像データを圧縮しないので、撮影ショット毎に高画質の画像データを少なくとも１枚は保存することができ、後で必要になった場合でも、標準観察視環境用のフォルダに記憶されている画像データを基にＣＡＭ処理をし直すことができる。
【００７５】
尚、本実施形態では、デジタルカメラ１０１に適用する場合について説明したが、例えば、観察視環境別に画像データが記憶されているメモリカード１０６ｂをテレビやモニタ或いはＤＰＦ（Ｄｉｇｉｔａｌ  Ｐｈｏｔｏ  Ｆｒａｍｅ：画像データを読み出して表示するフォトスタンド）などに装着して表示する場合にも適用できる。この場合、本実施形態に係るデジタルカメラ１０１と同様に、テレビ，モニタおよびＤＰＦに観察視環境センサを搭載し、例えばＤＰＦを設置した机の上に太陽光が当たっている場合は、観察視環境が太陽光のフォルダに記憶されている画像データを読み出して表示し、夜間に白熱電球が点灯している場合は、観察視環境が白熱電球の記憶フォルダに記憶されている画像データを読み出して表示する。この結果、環境光が変化しても常に変化した環境光に応じた最適な画像データを読み出して表示するので、鑑賞者は撮影者が意図した印象を与える画像を鑑賞することができる。逆に、美術館などで画像を鑑賞する場合、展示場所の環境光が固定されるので画像を展示する場所に応じて固定の観察視環境フォルダを指定できるようにしても構わない。
【００７６】
また、本実施形態では、観察視環境毎に作成した画像データをフォルダ別に分類するようにしたが、フォルダ別に分類するのではなく、「使用する観察視環境の種類」以外の画像データを使用する観察視環境の画像データに関連付けした隠しファイル属性としてメモリ１０６に保存するようにしても構わない。或いは、観察視環境毎に作成された複数の画像データをＭＰフォーマットとして１つのファイルにまとめてメモリ１０６に保存するようにしても構わない。
【００７７】
以上、本発明に係るデジタルカメラについて、各実施形態で例を挙げて説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００７８】
１０１，１０１ｂ，１０１ｃ，１０１ｄ・・・デジタルカメラ
１０２・・・撮像部                １０３・・・画像バッファ
１０４・・・画像処理部            １０５・・・記録／読み出し部
１０６・・・メモリ                １０７・・・制御部
１０８・・・操作部                １０９・・・出力部
１１０・・・表示部                １１１・・・外部端子
１１２・・・フラッシュメモリ      １１３・・・入力部
１０４ｂ・・・ＣＡＭ              １０５ｂ・・・圧縮部
１０６ｂ・・・メモリカード        １０７ｂ・・・動作設定メモリ
１１２ｂ・・・観察視環境リスト    ２０１・・・被写体風景
２０２・・・観察視環境Ａ用の画像データ
２０３・・・観察視環境Ｂ用の画像データ
２０４・・・観察視環境Ｃ用の画像データ
２０５・・・観察視環境Ｄ用の画像データ
３０１，３０１ｂ，３０１ｃ，３０１ｄ・・・テレビ
３０２，３０６，３０８・・・ケーブル      ３０３，３０４・・・無線通信部
３０５・・・設定メモリ                    ３０７・・・測定センサ
９００，９０１，９０２・・・フォルダ
【図１】
2011009822.tif 000003
【図２】
2011009822.tif 000004
【図３】
2011009822.tif 000005
【図４】
2011009822.tif 000006
【図５】
2011009822.tif 000007
【図６】
2011009822.tif 000008
【図７】
2011009822.tif 000009
【図８】
2011009822.tif 000010
【図９】
2011009822.tif 000011